(57)【要約】【課題】  本発明は、抜き文字と、パールインキ層と、蛍光インキ層の相乗効果により優れた造防止効果を発揮する、商品券、ギフト券、証券、株券等の金券類、各種証明書、各種チケット等として使用できる造防止印刷物を提供することである。【解決手段】  印刷基材面の所定領域に、紫外線ないしは赤外線の照射により蛍光発光する蛍光物質が添加されたメジウムインキにより印刷された抜き文字印刷層が形成され、抜き文字印刷層上にパールインキ印刷層が形成された構成の偽造防止印刷物である。【選択図】    図１
2006142688.tif 000002
【特許請求の範囲】
【請求項１】
印刷基材面の所定領域に、メジウムインキにより印刷された抜き文字印刷層が形成され、前記抜き文字印刷層上にパールインキ印刷層が形成されている構成からなることを特徴とする偽造防止印刷物。
【請求項２】
前記抜き文字印刷層が、紫外線ないしは赤外線の照射により蛍光発光する蛍光物質を含有することを特徴とする請求項１記載の偽造防止印刷物。
【請求項３】
前記パールインキ印刷層が、２０重量％以下の有色インキを含有することを特徴とする請求項１または２記載の偽造防止印刷物。
【発明の詳細な説明】
【技術分野】
【０００１】
本発明は、商品券、ギフト券、証券、株券等の金券類、各種証明書、各種チケット等として使用できる偽造防止効果の優れた印刷物に関する。
【背景技術】
【０００２】
従来、偽造防止効果を有する印刷物としては、見る角度によって色彩が変化する色彩可変印刷層と、色彩可変印刷層の上に紫外線または赤外線の照射により蛍光発光する光反応印刷層をパターン状に設けた構成の偽造防止印刷媒体（例えば、特許文献１参照）、ないしは、少なくともパール顔料と紫外線照射または赤外線照射により色調が変化する蛍光顔料を含む偽造防止用インキを使用して、印刷箇所の少なくとも一部分が、単独あるいは複数色以上印刷されている構成の偽造防止印刷物（例えば、特許文献２参照）等が知られている。
【特許文献１】特開２００２−２７４０００号
【特許文献２】特開２００２−２８５０６１号
【０００３】
しかしながら、偽造防止印刷媒体ないしは偽造防止印刷物においては、パールインキによる印刷層上に蛍光インキによる印刷層が形成されているものであり、パールインキと蛍光インキの重ね刷りにより偽造防止効果を得ようとするものであり、抜き文字等を使用して偽造防止効果を向上させるものではない。
【発明の開示】
【発明が解決しようとする課題】
【０００４】
本発明の目的は、抜き文字と、パールインキ層と、蛍光インキ層の相乗効果により、商品券、ギフト券、証券、株券等の金券類、各種証明書、各種チケット等として使用した場合に優れた偽造防止効果を発揮する偽造防止印刷物を提供することである。
【課題を解決するための手段】
【０００５】
印刷基材面の所定領域に、メジウムインキにより印刷された抜き文字印刷層が形成され、前記抜き文字印刷層上にパールインキ印刷層が形成されている構成の偽造防止印刷物である。
【０００６】
上記の偽造防止印刷物において、前記抜き文字印刷層が、紫外線ないしは赤外線の照射により蛍光発光する蛍光物質を含有する構成である。
【０００７】
上記の偽造防止印刷物において、前記パールインキ印刷層が、２０重量％以下の有色インキを含有する構成である。
【発明の効果】
【０００８】
本発明の構成とすることにより、抜き文字印刷層とパールインキ印刷層による透かし印刷の効果が得られるため優れた偽造防止効果を有する印刷物となる。
【０００９】
請求項２に係る発明では、抜き文字の透かし印刷効果と、紫外線ないしは赤外線の照射により発光する印刷層との相乗効果により、より優れた偽造防止効果が得られる。
【００１０】
請求項３に係る発明では、抜き文字の透かし印刷効果がより優れるとともに、紫外線ないしは赤外線の照射により抜き文字が浮き出るので優れた偽造防止効果が得られる。
【発明を実施するための最良の形態】
【００１１】
以下、図面に基づいて本発明の実施の形態を説明する。
図１は本発明の第１実施形態を示す平面図、図２は図１のＩ−Ｉ線拡大断面図、図３は本発明の第２実施形態を示す平面図、図４は図３のII−II線拡大断面図、図５は第１実施形態の抜き文字印刷層を形成した状態の平面図であって、１，1'は偽造防止印刷物、２は印刷基材、10，10' は偽造防止印刷部、11，11' は抜き文字印刷層、12はパールインキ印刷層、13は抜き文字をそれぞれ表す。
【００１２】
本発明の第１実施形態の偽造防止印刷物１は、図１、図２に示すとおりである。第１実施形態の平面図は、図１に示すように、印刷基材２面の所定領域にメジウムインキにより印刷された抜き文字印刷層11とパールインキ印刷層12からなる偽造防止印刷部10が形成されている。偽造防止印刷部10の積層構成は、図２に示すように、印刷基材２面上に、メジウムインキにより印刷された抜き文字印刷層11が形成され、抜き文字印刷層11の全面にパールインキ印刷層12が形成されている構成である。
【００１３】
第１実施形態の偽造防止印刷物１では、メジウムインキにより印刷された抜き文字印刷層11とパールインキ印刷層12が積層されている構成であり、パールインキ印刷層12により抜き文字13による透かし印刷の効果が顕著になるので優れた偽造防止効果が得られる。
【００１４】
本発明の第２実施形態の偽造防止印刷物1'は図３、図４に示すとおりである。第２実施形態の平面図は、図３に示すように、印刷基材２面の所定領域に、紫外線ないしは赤外線の照射により蛍光発光する蛍光物質を含有するメジウムインキにより印刷された抜き文字印刷層11' とパールインキ印刷層12からなる偽造防止印刷部10' が形成されている。偽造防止印刷部10' の積層構成は、図４に示すように、印刷基材２面上に、紫外線ないしは赤外線の照射により蛍光発光する蛍光物質を含有するメジウムインキにより印刷された抜き文字印刷層11' が形成され、抜き文字印刷層11' の全面にパールインキ印刷層12が形成されている構成である。
【００１５】
第２実施形態の偽造防止印刷物1'では、紫外線ないしは赤外線の照射により蛍光発光する蛍光物質を含有するメジウムインキにより印刷された抜き文字印刷層11' とパールインキ印刷層12が積層されている構成であるので、紫外線ないしは赤外線の照射により、パールインキ印刷層12に抜き文字13がより鮮明に浮き出る状態となるので、より一層優れた偽造防止効果が得られるものである。
【００１６】
第１、第２実施形態において、パールインキ印刷層12に有色インキを２０重量％以下の割合で添加することができる。有色インキを添加することにより、視認性を向上させ、また、その有色インキの添加量を２０重量％以下とすることで、パールインキの転色性を損なわせず偽造防止効果を向上させることができる。
【００１７】
実施形態の抜き文字印刷層11における抜き文字としては、実施形態のように比較的大きい文字を使用して抜き文字を形成してもよいし、小さい抜き文字を地紋状に印刷してもよく、抜き文字の形成は任意である。また、文字以外の特定のマークを配列した抜き文字としてもよい。
【００１８】
実施形態におけるパールインキ印刷層12、メジウムインキからなる抜き文字印刷層については、必要に応じて紫外線ないしは赤外線の照射により蛍光発光する蛍光物質を含有させてもよい。メジウムインキに紫外線ないしは赤外線の照射により蛍光発光する蛍光物質を含有させることで、カラーコピー等で複製することができないという偽造防止効果を付与することができる。
【００１９】
パールインキ印刷層12を形成するためのパールインキとしては、低屈折率の雲母に、透明で屈折率が２．０以上である酸化ケイ素、酸化チタン、酸化鉄などの金属酸化物の層を被覆した顔料を透明なビヒクル中に分散したものが使用できる。雲母と金属酸化物が組み合わされた時に、その屈折率の差が０．４より大きいことから、入射した白色光の反射量が多く、また同時に雲母と金属酸化物の界面で複屈折を起こすことから、高虹彩反射性となり、変色効果をより効果的に助長する働きをする。具体例としては、インフィニットカラー（資生堂製）イリオジン（メルク社製）等のパールインキ等が使用できる。
【００２０】
紫外線ないしは赤外線の照射により蛍光発光する蛍光物質としては、紫外線発光蛍光体又は赤外線発光蛍光体がある。紫外線発光蛍光体は紫外線により励起され、それよりも低いエネルギー準位に戻るときに発光するスペクトルのピークが青、緑、赤等の波長域にあるもので、例えば、Ｃａ2 Ｂ5 Ｏ9 Ｃｌ：Ｅｕ2+、ＣａＷＯ4 ＺｎＯ：Ｚｎ2 ＳｉＯ4 ：Ｍｎ、Ｙ2 Ｏ2 Ｓ：Ｅｕ、ＺｎＳ：Ａｇ、ＹＶＯ4 ：Ｅｕ、Ｙ2 Ｏ3 ：Ｅｕ、Ｇｄ2 Ｏ2 Ｓ：Ｔｂ、Ｌａ2 Ｏ2 Ｓ：Ｔｂ、Ｙ3 ＡＬ5 Ｏ12：Ｃｅ等があり、単体又はこれらの数種を選択し混合して使用する。これらの蛍光スペクトルはピークを青、緑、赤等の波長域以外にもつものであり、所望の蛍光スペクトルに応じて適宜選択することができる。インキ中の紫外線発光蛍光体の添加量は検出器の受光素子の蛍光の検知が可能となるようにすることが望ましい。
【００２１】
赤外線発光蛍光体は波長λ1 の励起光を受けて、波長λ2 の可視光を発光する特性を示し、λ1 ≠λ2 かつλ1 ＞λ2 なる性質を有するものとして、その組成は、例えば、ＹＦ3 ：Ｅｒ＋Ｙｂ、Ｙ3 ＯＣｌ7 ：Ｅｒ＋Ｙｂ、ＬａＬｎＦ4 ：Ｅｒ＋Ｙｂ（Ｌｎ＝Ｙ，Ｇｄ，Ｌａ）、ＢａＹ2 Ｆ8 ：Ｅｒ＋Ｙｂ、（ＰｂＦ2 −ＧｅＯ2 ）：Ｅｒ＋Ｙｂ、（ＰｂＦ2 −ＧｅＯ2 ）：Ｔｍ＋Ｙｂ等があり、いずれも励起光（λ1 ）８００〜１０００ｎｍの赤外線を受けて４５０ｎｍ〜６５０ｎｍに発光スペクトルの顕のピークを有する可視光線（λ2 ）を発光するものである。インキ中の赤外線発光蛍光体の添加量は検出器の受光素子の蛍光の検知が可能となるようにすることが望ましい。
【図面の簡単な説明】
【００２２】
【図１】本発明の第１実施形態を示す平面図。
【図２】図１のＩ−Ｉ線断面図。
【図３】本発明の第２実施形態を示す平面図。
【図４】図３のII−II線断面図。
【図５】第１実施形態の抜き文字印刷層を形成した状態の平面図。
【符号の説明】
【００２３】
１，1'  偽造防止印刷物
２  印刷基材
10，10'   偽造防止印刷部
11，11'   抜き文字印刷層
12  パールインキ印刷層
13  抜き文字
【図１】
2006142688.tif 000003
【図２】
2006142688.tif 000004
【図３】
2006142688.tif 000005
【図４】
2006142688.tif 000006
【図５】
2006142688.tif 000007